【手続補正書】
【提出日】平成17年3月25日(2005.3.25)
【手続補正１】
【補正対象書類名】明細書
【補正対象項目名】特許請求の範囲
【補正方法】変更
【補正の内容】
【特許請求の範囲】
【請求項１】
インク転写部に使用されるローラ(３，７，８)の相対位置を調節することによって、回転印刷機によって印刷された画像を調整するための方法であって、
これらのローラの少なくとも１つのローラ(７，８)を、その作動駆動部(Ｍ１，Ｍ２，Ｍ３，Ｍ４)によって独立に又は一緒に移動させることができ、その結果、印刷工程に使用されるローラ(３，７，８)を互いに対して動かすことができ、
少なくとも１つのカメラ(Ｋ)によって、印刷用材料ウエブ(１７)の上に印刷された画像(１０)を走査して撮像し、撮像による画像を電気式の制御調整ユニット(１３)に順番に送り、
制御調整ユニット(１３)によって、印刷された画像又はその一部の撮像による画像を調べ、転写の完全さについて評価し、
印刷された画像又はその一部の撮像による画像が完全に示されるまで又は示されている限り、制御調整ユニット(１３)によって、印刷及びインク付け工程に使用されるローラ(３，７，８)のうちの少なくとも１つのローラの作動駆動部用の信号を発生させることを特徴とする方法。
【請求項２】
ローラ(３，７，８)の幾何学寸法、又は、これらの幾何学寸法から導かれるローラ(３，７，８)の相対位置を知る制御プログラムによる前記作動駆動部への信号によって、ローラ(３，７，８)の位置を互いに対して仮調整し、
次いで、順番に撮像した画像を前記カメラによって制御調整ユニット(１３)に送り、
次いで、印刷された画像又はその一部の撮像による画像が完全に示されるまで又は示されるとき、前記制御調整ユニットによって、印刷及びインク付け工程に使用されるローラ(３，７，８)の少なくとも１つのローラの作動駆動部用の信号を発生させる、請求項１に記載の方法。
【請求項３】
印刷される画像のデジタル化された所望輪郭を記憶ユニットに記憶し、
制御調整ユニット(１３)の比較器において、印刷された画像の撮像による画像とデジタル化された所望輪郭とを比較し、
この比較により、印刷された画像の撮像による画像と記憶されている所望輪郭とが一致するまで又は示されるとき、制御調整ユニット(１３)によって、印刷又はインク付け工程に使用されるローラの作動駆動部用の信号を発生させる、請求項１又は２に記載の方法。
【請求項４】
評価又は計算ユニット(１３)によって、印刷された画像の種々のセグメント(１８)における反射光の強さをローラ位置に対応して決定し、それにより、印刷工程における典型的な光強さ曲線を、印刷された画像の種々のセグメントについて観測することができ、
印刷された画像(１０)の種々のセグメント(１８)の所定部分が特定の光強さ曲線(１９)を示すまで、制御調整ユニット(１３)によって、印刷又はインク付け工程に使用されるローラ(３，７，８)の作動駆動部(Ｍ１，Ｍ２，Ｍ３，Ｍ４)用の信号を発生させる、請求項１又は２に記載の方法。
【請求項５】
印刷すべき未印刷材料(１７)から反射した光の強さと、印刷された画像(１０)の種々のセグメント(１８)における反射光の強さとの差を求め、
評価及び計算ユニット(１３)によって、印刷された画像のセグメントにおける前記差又はコントラスト値(ｋｉ)をローラの相対位置に対応して決定し、それにより、印刷工程に典型的な同様の光強さ曲線又はコントラスト値曲線を、印刷された画像の種々のセグメントについて観測することができ、
印刷された画像(１０)の種々のセグメント(１８)の所定部分が、特定の光強さ曲線又はコントラスト値曲線(１９)を示すまで、制御調整ユニット(１３)によって、印刷又はインク付け工程に使用されるローラ(３，７，８)の作動駆動部(Ｍ１，Ｍ２，Ｍ３，Ｍ４)用の信号を発生させる、請求項１又は２に記載の方法。
【請求項６】
印刷された画像(１０)又はその少なくとも一部分を、少なくとも１つのカラーカメラ(Ｋ)によって撮像する、請求項３〜５の何れか１項に記載の方法。
【請求項７】
印刷された画像(１０)又はその少なくとも一部分を、少なくとも１つのカラーカメラ(Ｋ)によって撮像し、
コンピュータによって、少なくとも１つの色の光強さ曲線又はコントラスト値曲線をローラ位置に対応して決定し、
印刷された画像(１０)の種々のセグメント(１８)の所定部分が特定の色強さ曲線(１９)を示すまで、制御調整ユニット(１３)によって、印刷又はインク付け工程に使用されるローラ(３，７，８)の作動駆動部(Ｍ１，Ｍ２，Ｍ３，Ｍ４)用の信号を発生させる、請求項４又は５に記載の装置及び方法。
【請求項８】
いくつかの色の光強さの値又はコントラスト値(１９)を制御調整ユニットによってプロットし、
光強さの値又はコントラスト値(１９)から導き出された座標に基づいて、これらの値をコンピュータによって別の座標系に変換し、
これらの座標のうちの少なくとも１つの選択をローラの相対位置に対応して決定し、
印刷された画像(１０)の種々のセグメント(１８)の所定部分が特定の座標曲線を示すまで、制御調整ユニット(１３)によって、印刷又はインク付け工程に使用されるローラ(３，７，８)の作動駆動部(Ｍ１，Ｍ２，Ｍ３，Ｍ４)用の信号を発生させる、請求項７に記載の方法。
【請求項９】
印刷された画像の反射光の光又は色の強さから導かれた値(ｋｉ)を規準化する、請求項４、５、７又は８の何れか１項に記載の方法。
【請求項１０】
印刷された画像の反射光の光又は色の強さから導かれた値(ｋｉ)を、印刷又はインク付け工程に使用されるローラ(３，７，８)の位置に対応してプロットし、それをコンソール又はスクリーンの上で見られるようにする、請求項４、５、７、８又は９の何れか１項に記載の方法。
【請求項１１】
いくつかの印刷ユニットを有する場合において、各印刷ユニットを、別々の測定工程に基づいて調整する、請求項１乃至１０の何れか１項に記載の方法。
【請求項１２】
いくつかの印刷ユニットを、１つの測定工程に基づいて調整する、請求項１乃至１０の何れか１項に記載の方法。
【請求項１３】
印刷された画像の撮像による画像(１０)と印刷される画像の所望輪郭とが一致するローラ(３，７，８)の幾何学的な相対位置を決定し、
印刷された画像の種々のセグメントの所定部分が特定の強さ曲線又はコントラスト曲線を示すまで、記憶装置に記憶する、請求項１乃至１２の何れか１項に記載方法。
【請求項１４】
印刷工程に使用されるローラ(３，７，８)の追加の調整中、少なくとも２つのローラ(３，７，８)の間に少なくとも１つの過剰印刷を生じさせる、請求項１乃至１３の何れか１項に記載の方法。
【請求項１５】
過剰印刷を生じさせたローラ(３，７，８)間に行き渡るように圧力を付与し、付与した圧力を再び減少させて過剰印刷を終了させる、請求項１４に記載の方法。
【請求項１６】
付与した圧力を減少させた後、ローラ(３，７，８)を互いに対して再び移動させ、それにより、圧力を再び付与する、請求項１５に記載の方法。
【請求項１７】
印刷工程に使用されるローラ(３，７，８)の相対位置を調節することによって、印刷される画像を調整する回転印刷機であって、
これらのローラの少なくとも１つのローラ(７，８)をそれ用の作動駆動部(Ｍ１、Ｍ２、Ｍ３、Ｍ４)によって独立に又は一緒に移動させることにより、印刷工程に使用されるローラ(３，７，８)を互いに対して動かすことができ、
印刷すべき未印刷材料（１７）の上に印刷された画像（１０）を記録して、記録された画像を電気的評価及び計算ユニット(１３)に送る少なくとも１つのカメラ(Ｋ)を有し、
評価及び計算ユニット(１３)は、印刷された画像又はその一部の記録画像を評価し、印刷された画像又はその一部の記録画像における色転写の完全さを調べ、
印刷された画像又はその一部の記録画像が完全に示されるまで、印刷及びインク付け工程に使用されるローラ(３，７，８)の少なくとも１つのローラの作動駆動部用の信号を発生させるように、評価及び計算ユニット(１３)が構成されることを特徴とする回転印刷機。
【請求項１８】
前記作動駆動部は、印刷工程に使用されるローラ(３，７，８)を確実に平行にさせる別々の調整装置を有する、請求項１７に記載の回転印刷機。